(57)【要約】      （修正有）【課題】ディスプレイ台から冷温パターン表示体を取り外すことなくその清掃作業を容易に行うことが可能な自動販売機の冷温表示装置を提供する。【解決手段】庫内に収納された商品を温蔵，冷蔵状態に保存して販売する自動販売機であって、ディスプレイ台上に左右に並べて一列に載置された複数の商品見本に対応した冷温パターンがそれぞれ表示された無端の冷温パターン表示体１２０を前記ディスプレイ台にその左右両端で折り返して掛け渡し、前記冷温パターン表示体１２０を周回させることにより冷温パターンを切り替えるようにした自動販売機の冷温表示装置において、前記冷温パターン表示体１２０の周回軌道の少なくとも一部に当該冷温パターン表示体１２０に当接して冷温パターン表示体１２０を清掃する汚れ除去手段１５０（マット状の清掃具１５１）を設け、冷温パターン表示体１２０を周回させることにより、付着した塵埃を自動的に除去する。【選択図】図４
2008129918.tif 000002
【特許請求の範囲】
【請求項１】
庫内に収納された商品を温蔵，冷蔵状態に保存して販売する自動販売機であって、ディスプレイ台上に左右に並べて一列に載置された複数の商品見本に対応した冷温パターンがそれぞれ表示された無端の冷温パターン表示体を前記ディスプレイ台にその左右両端で折り返して掛け渡し、前記冷温パターン表示体を周回させて冷温パターンを切り替えるようにした自動販売機の冷温表示装置において、前記冷温パターン表示体の周回軌道の少なくとも一部に当該冷温パターン表示体に当接して冷温パターン表示体を清掃する汚れ除去手段を設けたことを特徴とする自動販売機の冷温表示装置。
【請求項２】
請求項１に記載の自動販売機の冷温表示装置において、汚れ除去手段がディスプレイ台に保持されたマット状の清掃具であることを特徴とする自動販売機の冷温表示装置。
【請求項３】
請求項１に記載の自動販売機の冷温表示装置において、汚れ除去手段をディスプレイ台に保持された清掃ブラシであることを特徴とする自動販売機の冷温表示装置。
【発明の詳細な説明】
【技術分野】
【０００１】
この発明は、自動販売機における本体キャビネットの庫内に缶入り飲料，瓶入り飲料，ペットボトル入り飲料などの商品を冷蔵，温蔵状態に区分して保存し、外扉のディスプレイ室内に設置したディスプレイ台上に複数の商品見本を左右に並べて展示し、該商品見本に対応して商品の冷温状態を表示する冷温表示装置に関する。
【背景技術】
【０００２】
この種の自動販売機の冷温表示装置として無端の冷温パターン表示体をディスプレイ台に掛け渡して設け、前記冷温パターン表示体を手動操作するものが知られている（例えば、特許文献１）。この装置について図６〜図１２を用いて説明する。
図６は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室は、例えば、缶入り飲料、瓶入り飲料、ペットボトル入り飲料などの商品を収納した商品ラックが収設され、また、各商品収納室の下部には、当該各商品収納室を冷却もしくは加熱して商品ラックに収納した商品を冷蔵・温蔵状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置したディスプレイ台７０が上下方向に３段取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン９０ａを有している（図８参照）。また、前記外扉２０の背面には硬貨投入部２１の投入口に連通したコインメカニズム２５、このコインメカニズム２５に連通した金庫２６、紙幣投入部２２の投入口に連通した紙幣識別装置２７などが設けられている。さらに外扉２０の前面には、投入金額などを表示する一体表示器２２、硬貨投入部２１の投入口、紙幣識別装置２７の投入口、釣銭返却部２３の返却口、商品取出部２４の取出口に加え、不図示の返却レバーおよびロック付ハンドルなどが設けられている。なお、ディスプレイ室５０には商品サンプル８０などを明るく照らす蛍光灯や発光ダイオードからなる照明手段（不図示）が配設されている。
【０００４】
図７はディスプレイ台を示す分解斜視図である。ディスプレイ台７０は、商品見本８０を載置する載置台７１と、この載置台７１が組付けられる固定部材７２とからなる。前記載置台７１は上面部７１１、この上面部７１１の両端から下方に延在された左右側壁７１２，７１２、前面の左右両端に形成したカバー部材７１３とからなり、前記上面部７１１には不図示の係合穴が左右方向に複数個並設され、それぞれの係合穴に商品見本８０が嵌合保持される。また、前記載置台７１の左右側壁７１２，７１２にはそれぞれ内側に向かって突出するピン７３が取付けられている。
前記載置台７１とともにディスプレイ台７０を構成する固定部材７２は、前面部７２１、上面部７２２および後面部７２３を有して下方が開放する断面略コ字形に形成されるとともに左右両端に上面部７２２と後面部７２３に接続された左右側壁７２４，７２４を有している。このように固定部材７２は下方が開放する横長の箱形に形成されている。この固定部材７２の前面部７２１には各商品見本８０に対応して複数の透光穴７４が設けられ、前記上面部７２２は略全域にわたって開口しており、当該開口の中央２箇所に補強のための桟７２２ａ，７２２ａが形成されている。また、固定部材７２の左右側壁７２４，７２４には上面部７２２に向けて一部が開放した異形溝７５が形成されている。この異形溝７５の開放部は載置台７１の左右側壁７１２，７１２に取付けられたピン７３が通過可能な大きさに形成されており、前記固定部材７２の上方から載置台７１を組付ける際、異形溝７５の開放部を通してピン７３が挿入される。
【０００５】
前記固定部材７２の後面部７２３には、図８に示すように、左右２個の係止片７２３ａが形成され、この係止片７２３ａは中扉６０に設けた穴（不図示）に挿通係止される。これにより、固定部材７２が中扉６０に取付けられる。また、後面部７２３の内壁側には２段に折り曲げられ、ディスプレイ台７０の左右方向に延在したガイド部７２３ｂが設けられている。また、固定部材７２の前面部７２１の下端には前方側に折り曲げて形成したガイド部７２１ａが設けられている。さらに、図７および図８に示すように、前面部７２１、上面部７２２および後面部７２３に囲まれたディスプレイ台７０の箱内には、左右方向に沿って蛍光灯１３（図では一点鎖線で示す）が設けてある。蛍光灯１３は、ディスプレイ台７０の固定部材７２に固定した左右一対の各ソケット（図示せず）に装着されている。
【０００６】
ディスプレイ台７０の箱内には、商品見本８０の冷温状態を表す冷温パターン表示体１２０が収設されている。この冷温パターン表示体１２０は、図９の斜視図に示すように、可撓性を有する透明プラスチックフィルムからなる無端の帯状体として形成されている。冷温パターン表示体１２０の外面における周方向に沿った上方域には、自動販売機の商品収納室（図示せず）に収納した商品の冷蔵・温蔵状態を表す冷温パターン１２０ａが施してある。商品の冷蔵状態を表す冷温パターン１２０ａは、１パターンの単位として白抜きの文字（例えば「つめた〜い」）の背景に寒色の背景色（例えば青色）が印刷されている。また、商品の温蔵状態をあらわす冷温パターン１２０ａは、１パターンの単位として白抜きの文字（例えば「あったか〜い」）の背景に暖色の背景色（例えば赤色）が印刷されてある。なお、冷温状態をあらわす複数の冷温パターン１２０ａと、温蔵状態をあらわす複数の冷温パターン１２０ａとが図１０中に一点鎖線で示す境目１２０ｂを境にして無端状の帯状体における周方向の略半周分ずつ施してある。
【０００７】
図７および図８に示すように、冷温パターン表示体１２０は、ディスプレイ台７０を構成する固定部材７２の前面部７２１の前側および後面部７２３の前側を通るように固定部材７２の左右端で折り返して掛け渡されている。この冷温パターン表示体１２０は固定部材７２の下部側から固定部材７２に装着される。この場合、固定部材７２の前面部７２１の両端と左右側壁７２４，７２４との間には隙間７２１ｂが形成されており、その隙間７２１ｂを通して冷温パターン表示体１２０は固定部材７２に装着され、その装着状態において冷温パターン表示体１２０の前方側が固定部材７２の前面部７２１の下端に設けたガイド部７２１ａにより支持され、また、冷温パターン表示体１２０の後方側が固定部材７２の上面部７２２の下面と後面部７２３に設けたガイド部７２３ｂとの間に支持される。また、冷温パターン表示体１２０は固定部材７２の左右端で折り返して配設されるため、蛍光灯１３のソケットは前記隙間７２１ｂよりも内側に取付けられている。さらに、固定部材７２の前面部７２１の両端と左右側壁７２４，７２４との間に形成された隙間７２１ｂは、固定部材７２に載置台７１を組付けた際に載置台７１のカバー部材７１３によって覆われ、その隙間７２１ｂが自動販売機の前面から見えないようにされている。
前述のように固定部材７２に装着された冷温パターン表示体１２０において、固定部材７２の前面部７２１の前側を通る略半周分の冷温パターン表示体１２０の各冷温パターン１２０ａは、前面部７２１に設けた各透光穴７４の位置に対応する。これにより、冷温パターン表示体１２０の冷温パターン１２０ａは載置台７１に載置した各商品見本８０に対応して、各商品見本８０の商品の冷蔵・温蔵状態を表すことになる。この際、ディスプレイ台７０の箱内にある蛍光灯１３の光が透光穴７４を介して透明プラスチックフィルムからなる冷温パターン表示体１２０を透過することで冷温パターン１２０ａの文字および背景色が明るく表示される。
【０００８】
さらに、ディスプレイ台７０には、商品の価格情報を表示する価格表示体１４０が設けられている。価格表示体１４０は、図１０の正面図で示すように、固定部材７２の前面部７２１の左右方向に沿うように横長で、冷温パターン表示体１２０の幅に略一致する幅の短冊状に形成された光透過板からなり、その前面の下方域には商品の価格情報を表す価格パターン１４０ａ（例えば「￥１２０」の文字）が印刷してある。この価格パターン１４０ａは、その左右方向にディスプレイ台７０に載置した商品見本８０に対応するように複数個設けられている。なお、価格表示体１４０の前面には、価格パターン１４０ａの「￥１２０」の文字の左右両側に縦線からなる区画パターン１４０ｂが印刷されている。この区画パターン１４０ｂは、価格表示体１４０をなす光透過板の面を左右複数個に区画している。区画パターン１４０ｂで囲まれて価格パターン１４０ａを有する透明領域は、ディスプレイ台７０の前面部７２１に設けた各透光穴７４に重なるように形成されている。また、価格表示体１４０には開口部１４０ｃが形成されており、この開口部１４０ｃは後述するように冷温パターン表示体１２０を手動で回動させる際に利用されるものである。
【０００９】
前記価格表示体１４０は、図８に示すように、ディスプレイ台７０における固定部材７２の前面部７２１のガイド部７２１ａに装着され、冷温パターン表示体１２０の前面を覆っている。また、価格表示体１４０の区画パターン１４０ｂにより囲まれた透明領域が前面部７２１の各透光穴７４に重ねて配置されることにより、価格表示体１４０は各透光穴７４の位置に対応した冷温パターン表示体１２０の冷温パターン１２０ａを透過するとともに、その冷温パターン１２０ａの下位置に価格パターン１４０ａを表示する。
【００１０】
次に、前記固定部材７２の左右側壁７２４，７２４に形成された異形溝７５の形状を図１１に示す。図１１は固定部材７２の右側面図であり、固定部材の右側壁７２４には、上面部７２２に向けて一部が開放した異形溝７５が形成されている。ここで、異形溝７５は、載置台７１の左右側壁７１２に取付けたピン７３を回転可能に軸支する前半域の円弧状溝部７５ａと、該円弧状溝部７５ａに連ねて後半域に形成したスライド溝部７５ｂと、前記円弧状溝部７５ａとスライド溝部７５ｂとの中間位置から固定部材７２の上面部７２２との間に切欠き開口したピン７３の挿脱溝部７５ｃとを組合せた形状になる。前記挿脱溝部７５ｃの上端は固定部材７２の上面部７２２に切り込みを入れて下方に折り曲げた保護片７２５により開口されており、当該開口を通してピン７３が挿脱される。前記保護片７２５は固定部材７２の左右端から折り返して配設された冷温パターン表示体１２０の外側に位置しており、異形溝７５の挿脱溝部７５ｃを介してピン７３を挿脱する際、当該ピン７３が冷温パターン表示体１２０に接触して冷温パターン表示体１２０を傷付けたり、切断してしまうのを防止する。
【００１１】
次に、図７に示すディスプレイ台７０の自動販売機のディスプレイ室５０（図６参照）への取付けについて説明する。まず、固定部材７２に冷温パターン表示体１２０、価格表示体１４０及び蛍光灯１３を装着した後、図８に示すように、固定部材７２の後面部７２３に形成された係止片７２３ａを中扉６０に設けた穴（不図示）に挿入して固定部材７２を中扉６０に係止する。そして、中扉６０に固定された固定部材７２に載置台７１を次のように装着する。すなわち、載置台７１の左右側壁７１２に設けたピン７３が固定部材７２の左右側壁７２４に形成した異形溝７５の挿脱溝部７５ｃに対峙するように載置台７１を固定部材７２の上方から被せる。そして、載置台７１の左右側壁７１２に設けたピン７３を当該挿脱溝部７５ｃを通して異形溝７５に挿入し、前記ピン７３が異形溝７５のスライド溝部７５ｂに係合するように載置台７１を後方に向けてスライドさせる。前記ピン７３が固定部材７２の異形溝７５のスライド溝部７５ｂに係合するとピン７３が挿脱溝部７５ｃから抜け出るのが阻止され、この状態で載置台７１が固定部材７２に固定されてディスプレイ台７０が形成される。
【００１２】
次に、前述したように中扉６０に固定された固定部材７２に載置台７１を組付けて形成されたディスプレイ台７０における冷温パターンの切り替えについて説明する。冷温パターンの切り替えは、自動販売機の外扉２０を開放した後、外扉２０に閉扉状態にロックされた中扉６０を開放してディスプレイ台７０の前面を露出させる。そして、ディスプレイ台７０に装着された価格表示体１４０の開口部１４０ｃ（図１０参照）に指を当て、当該開口部１４０ｃを介して冷温パターン表示体１２０を左右方向に周回させる。ここで、冷温パターン表示体１２０は、図８に示すように、固定部材７２のガイド部７２１ａおよびガイド部７２３ｂに保持されてフリーな状態にあるため、価格表示体１４０の開口部１４０ｃを介して指により容易に周回させることができる。このように、指で冷温パターン表示体１２０を周回させることにより冷温パターン表示体１２０の冷温パターン１２０ａが周回送り方向に移動して商品の商品見本８０に対応した冷温パターン表示体１２０の冷温パターン１２０ａが切り替えられる。なお、冷温パターン表示体１２０はフリーな状態で固定部材７２に装着されているが、冷温パターン表示体１２０が比較的長い帯状であることから振動などにより冷温パターン表示体１２０が周回することはない。
なお、図７ないし図１２の従来装置では手動操作により冷温パターン表示体１２０を周回させて冷温パターンを切り替えるようにしたものであるが、ディスプレイ台にモータを配備し、前記冷温パターン表示体を電動により周回させて冷温パターンを切り替えるようにしたものも知られている（例えば、特許文献２）。
【００１３】
【特許文献１】特開２００５−２９３４５７号公報
【特許文献１】特開２００４−１７８５４３号公報
【発明の開示】
【発明が解決しようとする課題】
【００１４】
ところで、従来の自動販売機の冷温表示装置においては冷温パターン表示体１２０が可撓性を有する透明プラスチックフィルムにより構成されていることから冷温パターン表示体１２０が帯電体として静電気を帯びることがある。このように冷温パターン表示体１２０が静電気を帯びると周囲の塵埃が冷温パターン表示体１２０に吸引されてその表面に付着する。これによって冷温パターン表示体１２０が汚れてしまうことから清潔感を損なうおそれがあり、また、付着した塵埃が冷温パターンの文字の一部を隠してしまうこともあることから見栄えを損なうおそれがある。このため、商品の補充作業などを行うオペレーターが冷温パターン表示体１２０の汚れ具合を観察して冷温パターン表示体１２０が汚れていると判断した場合には冷温パターン表示体１２０の清掃作業が行われる。この清掃作業はディスプレイ台７０にその左右端で折り返して掛け渡されている冷温パターン表示体１２０をディスプレイ台７０から取り外して行われる。そして、ディスプレイ台７０から取り外して清掃された冷温パターン表示体１２０は再度ディスプレイ台７０に装着される。このように、冷温パターン表示体１２０の清掃作業はディスプレイ台７０から冷温パターン表示体１２０を取り外して行われることから、その清掃作業が煩雑で手間がかかるという問題を有する。さらに、冷温パターン表示体１２０を取り外して清掃する際に冷温パターン表示体１２０に傷を付けたり、或いは破損してしまうおそれがある。したがって、オペレーターは冷温パターン表示体１２０に傷を付けたり破損してしまわないように注意深く清掃を行う必要がある。このため、冷温パターン表示体１２０の清掃作業はオペレーターにとって負担となるものである。さらに、冷温パターン表示体１２０を破損した場合には新たな冷温パターン表示体１２０と交換しなればならないという問題をも有している。
【００１５】
本発明は上記の点に鑑みなされたものであり、その目的は前記課題を解決し、冷温パターン表示体の清掃作業を容易に行うことが可能な自動販売機の冷温表示装置を提供することにある。
【課題を解決するための手段】
【００１６】
上記目的を達成するために本発明は、庫内に収納された商品を温蔵，冷蔵状態に保存して販売する自動販売機であって、ディスプレイ台上に左右に並べて一列に載置された複数の商品見本に対応した冷温パターンがそれぞれ表示された無端の冷温パターン表示体を前記ディスプレイ台にその左右両端で折り返して掛け渡し、前記冷温パターン表示体を周回させて冷温パターンを切り替えるようにした自動販売機の冷温表示装置において、前記冷温パターン表示体の周回軌道の少なくとも一部に当該冷温パターン表示体に当接して冷温パターン表示体を清掃する汚れ除去手段を設けたことを特徴とする（請求項１）。
【００１７】
また、本発明によれば、汚れ除去手段をディスプレイ台に保持されたマット状の清掃具とすることができ（請求項２）、さらに、汚れ除去手段をディスプレイ台に保持された清掃ブラシとすることができる（請求項３）。
【発明の効果】
【００１８】
前述したように構成された請求項１に記載した発明によれば、ディスプレイ台にその左右両端で折り返して掛け渡された冷温パターン表示体を周回させることにより当該冷温パターン表示体に当接した汚れ除去手段によって冷温パターン表示体に付着した塵埃が自動的に除去される。このように、冷温パターン表示体をディスプレイ台から取り外すことなく冷温パターン表示体を周回動作させるのみで冷温パターン表示体を清掃することができることから掃作業時間を大幅に短縮することが可能となる。したがって、冷温パターン表示体の清掃にかかる作業性を向上することができる。また、オペレーターも冷温パターン表示体を周回させるのみでよいことから、従来装置のように冷温パターン表示体を取り外して清掃する場合には冷温パターン表示体を破損してしまうことがないようにせねばならない一方、少しでも早く清掃作業を行わねばならないという精神的な負担の軽減を図ることができるという効果を有する。
【００１９】
また、請求項２、３に記載した発明によれば、通常は乾式の汚れ除去手段（マット状の清掃具、清掃ブラシ）により冷温パターン表示体の汚れを除去し、乾式の汚れ除去手段では冷温パターン表示体の汚れを除去できないようなしつこい汚れに対しては汚れ除去手段にクリーニング液などを滲み込ませて湿式とすることにより除去することができる。
【発明を実施するための最良の形態】
【００２０】
以下、本発明の実施の形態を図１〜図４に示す実施例に基づいて説明する。図１はディスプレイ台を示す分解斜視図、図２はディスプレイ台の組立状態を示す外形斜視図、図３は図２のＡ−Ａ断面を示すディスプレイ台の側面図、図４は図２のＢ−Ｂ線で切断したディスプレイ台の側面断面を示す斜視図である。なお、この実施の形態の図中で図６〜図１２に対応する部材には同じ符号を付してその説明は省略する。
図１においてディスプレイ台１は、商品見本を載置する載置台１１と、この載置台１１が上方から被さるように組付けられる固定部材１２とからなる。前記載置台１１は上面部１１１と、この上面部１１１の両端から下方に延在された左右側壁１１２，１１２と、前面部１１３および後面部１１４（図３参照）を有して下方が開放する横断面略コ字形に形成されている。前記上面部１１１には係合穴１Ａが左右方向に複数、この例では１２個並設され、それぞれの係合穴１Ａに商品見本が嵌合保持される。また、前記載置台１１の左右側壁１１２，１１２には従来装置と同様にそれぞれ内側に向かって突出するピン７３が取付けられている。さらに、前記載置台１１の前面部１１３には各商品見本に対応して複数、この例では１２個の透光穴１１Ａが設けられ、そして、この前面部１１３の下端には、図３の断面図に示すように、前方側に折り曲げて形成したガイド部１１３ａが長手方向に延在して設けられている。一方、載置台１１の後面部１１４にも前方側に折り曲げて形成したガイド部１１４ａが設けられている。このガイド部１１４ａもガイド部１１３ａと同様に載置台１１の長手方向に延在して形成されている。
【００２１】
図３，図４に示すように、前記載置台１１の後面部１１４における右端側には本発明の主要構成をなす汚れ除去手段１５０が配備されている。この汚れ除去手段１５０はこの実施の形態ではマット状の清掃具１５１が用いられている。前記マット状の清掃具１５１は可撓性を有するとともに平坦な清掃面を有する不織布または布材あるいはスポンジからなり、上下端部に前記載置台１１に穿孔された係合穴（不図示）に嵌め込まれる係合片１５２（図４参照）が形成されている。このマット状の清掃具１５１の前記載置台１１への取付けは、清掃具１５１の一方の係合片１５２を載置台の一方の係合穴に嵌合させた後、清掃具１５１を上下方向に撓ませて他方の係合片１５２を載置台１１の他方の係合穴に嵌合させる。これによりマット状の清掃具１５１は載置台１１の後面部１１４に添って取付けられる。この取付け状態でマット状の清掃具１５１は後述する冷温パターン表示体１２０の周回軌道の一部に位置するものであり、そして、マット状の清掃具１５１の前面（平坦な清掃面）は後述する冷温パターン表示体１２０の表面に当接する。
なお、図４においては理解し易くするため後述する価格表示体１４０を取り外した状態を示している。また、図４において９０は商品選択ボタン９０ａを備えた商品選択ボタンユニットであり、９１は商品選択ボタンユニット９０を透明板４０（図６参照）を取付けるための取付金具である。
【００２２】
前記載置台１１とともにディスプレイ台１を構成する左右一対の固定部材１２は平面断面が略コ字形に形成され、この固定部材１２には、従来装置と同様に、上面に向けて一部が開放した異形溝１２ａが形成されている。この異形溝１２ａの開放部は載置台１１の左右側壁１１２，１１２に取付けられたピン７３が通過可能な大きさに形成されており、前記固定部材１２の上方から固定部材１２に被せるように載置台１１を組付ける際、異形溝１２ａの開放部を通してピン７３が異形溝１２ａ内に挿入される。この左右一対の固定部材１２は図７に示す従来の固定部材７２の左右側壁７２４に相当する部材であり、従来の固定部材７２に対して大幅にコストダウンが図られている。また、従来の固定部材７２の上面部７２２は桟７２２ａを残して開口されていることから歩留まりが悪いのに比して歩留まりの点でも優れている。
【００２３】
前記横断面コ字形の固定部材１２における後方側の脚片には、図３に示すように、切り起こしにより形成した複数、この例では上下２個の係止片１２１が形成され、この係止片１２１は中扉６０（図６参照）に設けた穴（不図示）に挿通係止される。これにより、固定部材１２が中扉６０に取付けられる。この固定部材１２の中扉６０への係止方法と同様な方法により蛍光灯１３が装着されるソケットを有する左右一対の蛍光灯取付金具１４が中扉６０に係止される。すなわち、左右一対の蛍光灯取付金具１４の脚片１４１には左右方向に切り起こされた２個の係止片１４２（図３では手前の係止片１４２が示され、もう一つの後方側の係止片は手前側の係止片１４２に隠れて見えない）が形成され、これらの係止片１４２に対応して設けた中扉６０の穴（不図示）に挿通係止される。
【００２４】
ディスプレイ台１を構成する載置台１１には、商品見本の冷温状態を表す冷温パターン表示体１２０が収設される。この冷温パターン表示体１２０は可撓性を有する透明プラスチックフィルムからなる無端の帯状体として形成されている。この冷温パターン表示体１２０は従来装置と同様に形成されている。これを図９を参照して説明すれば、その外面における周方向に沿った上方域には、自動販売機の商品収納室（図示せず）に収納した商品の冷蔵・温蔵状態を表す冷温パターン１２０ａが施してある。商品の冷蔵状態を表す冷温パターン１２０ａは、１パターンの単位として白抜きの文字（例えば「つめた〜い」）の背景に寒色の背景色（例えば青色）が印刷されている。また、商品の温蔵状態をあらわす冷温パターン１２０ａは、１パターンの単位として白抜きの文字（例えば「あったか〜い」）の背景に暖色の背景色（例えば赤色）が印刷されてある。なお、冷温状態をあらわす複数の冷温パターン１２０ａと、温蔵状態をあらわす複数の冷温パターン１２０ａとが図９中に一点鎖線で示す境目１２０ｂを境にして無端状の帯状体における周方向の略半周分ずつ施してある。なお、図９に示した従来装置では冷温パターン１２０ａが冷温パターン表示体１２０の上方域に印刷されているのに対し、この実施の形態の場合には後述する価格表示体１４０との関係で下方域に印刷されているものである。
【００２５】
前記冷温パターン表示体１２０は、図３に示すように、ディスプレイ台１を構成する載置台１１の前面部１１３の前側および後面部１１４の前側を通るように載置台１１の左右端で折り返して掛け渡される。すなわち、冷温パターン表示体１２０は下方が開放する横断面略コ字形に形成された載置台１１の下方側から載置台１１に装着される。この場合、載置台１１の前面部１１３の両端と左右側壁１１２，１１２との間には隙間Ｇ（図１参照）が形成されており、その隙間Ｇを通して冷温パターン表示体１２０は載置台１１に装着され、その装着状態において冷温パターン表示体１２０の前方側が載置台１１の前面部１１３の下端に設けたガイド部１１３ａにより支持され、また、冷温パターン表示体１２０の後方側が載置台１１の上面部１１１の下面と後面部１１４に設けたガイド部１１４ａとの間に支持される。また、冷温パターン表示体１２０は載置台１１の左右端で折り返して配設されるため、蛍光灯１３が取付けられるソケットを有する蛍光灯取付金具１４は前記隙間Ｇよりも内側に取付けられている。なお、載置台１１の前面部１１３の両端と左右側壁１１２，１１２との間に形成された隙間Ｇは、後述する価格表示体１４０によって覆われる。
【００２６】
前述のように載置台１１に装着された冷温パターン表示体１２０において、載置台１１の前面部１１３の前側を通る略半周分の冷温パターン表示体１２０の各冷温パターン１２０ａは、前面部１１３に設けた各透光穴１１Ａの位置に対応する。これにより、冷温パターン表示体１２０の冷温パターン１２０ａは載置台１１に載置される各商品見本に対応して商品の冷蔵・温蔵状態を表すことになる。この際、ディスプレイ台１の箱内にある蛍光灯１３の光が透光穴１１Ａを介して透光性プラスチックフィルムからなる冷温パターン表示体１２０を透過することで冷温パターン１２０ａの文字および背景色が明るく表示される。なお、蛍光灯１３の光は載置台１１の上面部１１１の係合穴を通して商品見本の内部に導入され、光透過材からなる商品見本を内側から照明して商品見本を発光させる。
【００２７】
さらに、ディスプレイ台１には、商品の価格情報を表示する価格表示体１４０が設けられている。価格表示体１４０は載置台１１の前面部１１３の左右方向に沿うように横長で、冷温パターン表示体１２０の幅に略一致する幅の短冊状に形成された光透過板からなり、その前面の上方域には商品の価格情報を表す価格パターン１４０ａ（例えば「￥１２０」の文字）が印刷してあり、下方域には開口１４０ｃが形成されており、この開口１４０ｃから冷温パターン表示体１２０の冷温パターン１２０ａが表示される。前記価格パターン１４０ａは、その左右方向にディスプレイ台１０に載置した商品見本に対応するように複数、この例では１２個設けてある。なお、価格表示体１４０の前面には、従来装置と同様に、価格パターン１４０ａの「￥１２０」の文字の左右両側に縦線からなる区画パターン１４０ｂが印刷されている。この区画パターン１４０ｂは、価格表示体１４０をなす光透過板の面を左右複数、この例では１２個に区画している。区画パターン１４０ｃで囲まれた価格パターン１４０ａと開口１４０ｃの領域は、載置台１１の前面部１１３に設けた各透光穴１１Ａに重なるように形成されている。
【００２８】
前記価格表示体１４０は、図３に示すように、ディスプレイ台１における載置台１１の前面部１１３のガイド部１１３ａにその下端を挿入することにより、載置台１１の前面部１１３に沿うように装着される。そして、価格表示体１４０は冷温パターン表示体１２０の前面に位置して当該冷温パターン表示体１２０を保護している。また、価格表示体１４０の区画パターン１４０ｂにより囲まれた透明領域が載置台１１の前面部１１３の各透光穴１１Ａに重ねて配置されることにより、価格表示体１４０は各透光穴１１Ａの位置に対応した冷温パターン表示体１２０の冷温パターン１２０ａを透過するとともに、その冷温パターン１２０ａの上方位置に価格パターン１４０ａを表示する。
【００２９】
次に、図１に示すディスプレイ台１の自動販売機のディスプレイ室５０（図６参照）への取付けについて説明する。まず、載置台１１に冷温パターン表示体１２０および価格表示体１４０を装着して載置台１１に冷温パターン表示体１２０および価格表示体１４０を組み付けておく。すなわち、下方が開放する横断面略コ字形に形成された載置台１１の下方側から冷温パターン表示体１２０を組み付ける。この場合、無端の冷温パターン表示体１２０の前方側が載置台１１における前面部１１３のガイド部１１３ａに案内され、冷温パターン表示体１２０の後方側が載置台１１における後面部１１４のガイド部１１４ａに案内され、そして、冷温パターン表示体１２０が載置台１１の前面部１１３の両端と左右側壁１１２，１１２との間に形成された隙間Ｇを通って周回するように組み付ける。そして、載置台１１における前面部１１３のガイド部１１３ａに案内される冷温パターン表示体１２０の前面に価格表示体１４０を装着して載置台アセンブリーを構成しておく。
【００３０】
次に、中扉６０に左右一対の固定部材１２を取付ける。この取付けは、左右一対の固定部材１２における後方側の脚片に形成された係止片１２１を中扉６０に設けた穴（不図示）に挿入して係止することにより行われる。同様に、左右一対の蛍光灯取付金具１４が、その脚片１４１に形成された係止片１４２を中扉６０の穴（不図示）に挿通して係止される。前述のようにして中扉６０に固定された固定部材１２に載置台１１を装着する。この装着方法は従来と同様であり、載置台１１の左右側壁１１２に設けたピン７３を固定部材１２に形成した異形溝１２ａの上面に向けて一部が開放した開放部に対峙するように載置台１１を固定部材１２にその上方から被せる。そして、載置台１１の左右側壁１１２に設けたピン７３を当該開放部を通して異形溝１２ａに挿入することにより、図２に示すように、載置台１１が固定部材１２に一体化されてディスプレイ台１が形成される。なお、載置台１１には予め商品見本を取付けていてもよく、また、載置台１１を固定部材１２に装着した後に商品見本を取付けてもよいものである。
【００３１】
次に、前述したように中扉６０に固定された固定部材１２に載置台１１を組付けて形成されたディスプレイ台１における冷温パターンの切り替えについて説明する。冷温パターンの切り替えは、自動販売機の外扉２０（図６参照）を開放した後、外扉２０に閉扉状態にロックされた中扉６０を開放してディスプレイ台１の前面を露出させる。そして、ディスプレイ台１に装着された価格表示体１４０のいずれかの開口１４０ｃ（図１参照）に指を当て、当該開口部１４０ｃを介して冷温パターン表示体１２０を左右方向に周回させる。ここで、冷温パターン表示体１２０は、図３に示すように、載置台１１の前面部１１３におけるガイド部１１３ａおよび後面部１１４におけるガイド部１１４ａに保持されてフリーな状態にあるため、価格表示体１４０の開口１４０ｃを介して指により容易に周回させることができる。このように、指で冷温パターン表示体１２０を周回させることにより冷温パターン表示体１２０の冷温パターン１２０ａが周回送り方向に移動して商品見本に対応した冷温パターン表示体１２０の冷温パターン１２０ａが切り替えられる。
【００３２】
前述したように、冷温パターン表示体１２０は価格表示体１４０の開口１４０ｃを介して指により容易に周回させることができる。そして、載置台１１には冷温パターン表示体１２０の表面に当接するようにマット状の清掃具１５１（図４参照）が装備されている。したがって、冷温パターン表示体１２０に塵埃が付着して汚れた場合には指で冷温パターン表示体１２０を周回させることにより載置台１１に装備されたマット状の清掃具１５１によって冷温パターン表示体１２０に付着した塵埃が自動的に除去される。この冷温パターン表示体１２０の清掃作業は冷温パターン表示体１２０を一回りさせることにより完了する。なお、乾式のマット状の清掃具１５１では汚れを除去できないしつこい汚れに対してはマット状の清掃具１５１にクリーニング液を滲み込ませて湿式とすることにより汚れを除去することができる。
【００３３】
なお、冷温パターン表示体１２０が色褪せたりデザインが変更された場合には冷温パターン表示体１２０を交換することができ、次にこの冷温パターン表示体１２０の交換について説明する。この冷温パターン表示体１２０の交換は、自動販売機の外扉２０を開放した後、外扉２０に閉扉状態にロックされた中扉６０を開放してディスプレイ台１の前面を露出させる。そして、ディスプレイ台１として組付けられた載置台１１を固定部材１２から取り外す。この取り外しは、載置台１１の左右側壁１１２に設けたピン７３を固定部材１２に形成した異形溝１２ａの上方に開放した開放部を介して異形溝１２ａから離脱させることにより行うことができる。載置台１１を固定部材１２から取り外すと載置台１１の下方が開放されるので、載置台１１への冷温パターン表示体１２０の取付けと逆の手順で載置台１１から冷温パターン表示体１２０を取り外すことができる。この冷温パターン表示体１２０の交換の際にマット状の清掃具１５１を交換することもできる。
【００３４】
次に本発明の異なる実施の形態を図５に示す実施例に基づいて説明する。ここで、ディスプレイ台自体の構造は図１ないし図４の実施の形態と同一であるのでディスプレイ台自体の説明は割愛し、必要に応じて図１ないし図４を引用する。図５は図２のＣ−Ｃ線で切断したこの実施の形態におけるディスプレイ台の側面断面を示す斜視図である。なお、実施の形態の図中で図１ないし図４に対応する部材には同じ符号を付してその説明は省略する。また、図５においては理解し易くするため価格表示体１４０（図２参照）を取り外した状態を示している。
【００３５】
図５に示すように、載置台１１の後面部１１４における右端側には本発明の主要構成をなす汚れ除去手段１５０が配備されている。この汚れ除去手段１５０はこの実施の形態では円柱状の清掃ブラシ１５３が用いられている。前記清掃ブラシ１５３は円柱状の心材の周囲に不織布または布材あるいはスポンジを巻き付けて構成したものであり、心材の上下両端から軸１５４が突出形成されている。一方、前記載置台１１の上面部１１１には軸１５４に対する軸受穴１１１ａが形成されるとともに載置台１１の後面部１１４側にはＬ字状の支持片１１５が形成されている。この支持片１１５の自由端部には清掃ブラシ１５０に対する軸１５４の軸受穴１１５ａが穿孔されている。前記清掃ブラシ１５３の前記載置台１１への取付けは、清掃ブラシ１５３の一方の軸１５４を載置台１１の軸受穴１１１ａに嵌合させた後、Ｌ字状の支持片１１５の自由端部を下方向に撓ませて清掃ブラシ１５３の他方の軸１５４を軸受穴１１５ａに嵌合させる。これにより清掃ブラシ１５３は載置台１１に固定状態に取付けられる。この状態で清掃ブラシ１５３の清掃面（外周面）は冷温パターン表示体１２０の周回軌道の一部に位置し、その清掃面（外周面）が冷温パターン表示体１２０の表面に当接するものである。
【００３６】
この実施の形態においても図１ないし図４に示した実施の形態と同様に、冷温パターン表示体１２０は価格表示体１４０（図２参照）の開口１４０ｃを介して指により容易に周回させることができる。そして、載置台１１には冷温パターン表示体１２０の表面に当接するように円柱状の清掃ブラシ１５３が装備されている。したがって、冷温パターン表示体１２０に塵埃が付着して汚れた場合には指で冷温パターン表示体１２０を周回させることにより載置台１１に装備された清掃ブラシ１５３によって冷温パターン表示体１２０に付着した塵埃が自動的に除去される。この冷温パターン表示体１２０の清掃作業は冷温パターン表示体１２０を一回りさせることにより完了する。そして、乾式の清掃ブラシ１５３では汚れを除去できないしつこい汚れに対しては清掃ブラシ１５３にクリーニング液を滲み込ませて湿式とすることにより汚れを除去することができる。
なお、清掃ブラシ１５３が汚れた場合にはＬ字状の支持片１１５の自由端部を下方向に撓ませることにより清掃ブラシ１５３を取り外して新たな清掃ブラシ１５３と交換することができる。
【００３７】
前述したように本発明によれば、庫内に収納された商品を温蔵，冷蔵状態に保存して販売する自動販売機であって、ディスプレイ台１上に左右に並べて一列に載置された複数の商品見本８０に対応した冷温パターンがそれぞれ表示された無端の冷温パターン表示体１２０を前記ディスプレイ台１にその左右両端で折り返して掛け渡し、前記冷温パターン表示体１２０を周回させて冷温パターン１２０aを切り替えるようにした自動販売機の冷温表示装置において、前記冷温パターン表示体１２０の周回軌道の少なくとも一部に当該冷温パターン表示体１２０に当接して冷温パターン表示体１２０を清掃する汚れ除去手段１５０（マット状の清掃具１５１、清掃ブラシ１５３）を設けたことにより、ディスプレイ台１の前面に露出した冷温パターン表示体１２０を手動操作により周回させると当該冷温パターン表示体１２０に当接した汚れ除去手段除去手段１５０（マット状の清掃具１５１、清掃ブラシ１５３）によって冷温パターン表示体１２０に付着した塵埃を自動的に除去することが可能となる。
【００３８】
なお、前述した各実施の形態においては、清掃具１５１、清掃ブラシ１５３を１個のみ配備した例について説明したが、本発明はこれに限定されるものではなく、例えば、ディスプレイ台１の左右両端に清掃具１５１、清掃ブラシ１５３を配備したり、また、冷温パターン表示体１２０の表裏面のそれぞれに清掃具１５１、清掃ブラシ１５３を配備して冷温パターン表示体１２０の表裏両面を清掃するようにすることもできるものである。また、手動操作により冷温パターン表示体１２０を周回させて冷温パターンを切り替えるようにしたものについて説明したが、ディスプレイ台にモータを配備して前記冷温パターン表示体を電動により周回させて冷温パターンを切り替えるものにも適用することができ、この場合にはモータを起動して冷温パターン表示体を周回させることにより冷温パターン表示体に付着した塵埃を自動的に除去することができる。
【図面の簡単な説明】
【００３９】
【図１】本発明の実施の形態にかかる自動販売機の冷温表示装置におけるディスプレイ台を示す分解斜視図である。
【図２】図１におけるディスプレイ台の組立状態を示す外形斜視図である。
【図３】図２のＡ−Ａ線で切断したディスプレイ台の側面断面図である。
【図４】図２のＢ−Ｂ線で切断したディスプレイ台の側面断面を示す斜視図である。
【図５】本発明の異なる実施の形態の冷温表示装置であり、図２のＣ−Ｃ線で切断したディスプレイ台の側面断面を示す斜視図である。
【図６】本発明が対象とする自動販売機の一例を示す斜視図である。
【図７】従来装置におけるディスプレイ台を示す分解斜視図である。
【図８】図７におけるディスプレイ台の側面断面を示す拡大図である。
【図９】図７における冷温パターン表示体を示す斜視図である。
【図１０】図７における価格表示体を示す正面図である。
【図１１】図７におけるディスプレイ台を構成する固定部材の右側面図である。
【図１２】図７におけるディスプレイ台の載置台を前傾姿勢に傾倒させた状態を示す右側面図である。
【符号の説明】
【００４０】
１    ディスプレイ台
１１    載置台
１２    固定部材
１２ａ    異形溝
１４    蛍光灯取付金具
７３    ピン
１２０    冷温パターン表示体
１２０ａ    冷温パターン
１４０    価格表示体
１４０ａ    価格パターン
１４０ｄ    開口
１５０    汚れ除去手段
１５１    マット状の清掃具
１５３    清掃ブラシ
【図１】
2008129918.tif 000003
【図２】
2008129918.tif 000004
【図３】
2008129918.tif 000005
【図４】
2008129918.tif 000006
【図５】
2008129918.tif 000007
【図６】
2008129918.tif 000008
【図７】
2008129918.tif 000009
【図８】
2008129918.tif 000010
【図９】
2008129918.tif 000011
【図１０】
2008129918.tif 000012
【図１１】
2008129918.tif 000013
【図１２】
2008129918.tif 000014